(57)【要約】【課題】長期間にわたって固定力を高く維持する。【解決手段】生体組織に締結される生体用スクリュ１であって、生体組織に形成された下穴に締結される雄ネジ部２を備え、該雄ネジ部２の周方向の少なくとも一部に、該雄ネジ部２を切り欠いて半径方向内方に窪む１以上の凹部３が設けられている生体用スクリュ１を提供する。【選択図】    図１
2007282704.tif 000002
【特許請求の範囲】
【請求項１】
生体組織に締結される生体用スクリュであって、
生体組織に形成された下穴に締結される雄ネジ部を備え、
該雄ネジ部の周方向の少なくとも一部に、該雄ネジ部を切り欠いて半径方向内方に窪む１以上の凹部が設けられている生体用スクリュ。
【請求項２】
前記凹部が、軸方向に沿って設けられている請求項１に記載の生体用スクリュ。
【請求項３】
前記凹部が、雄ネジ部の軸方向の途中位置に設けられている請求項１または請求項２に記載の生体用スクリュ。
【請求項４】
前記凹部が、周方向に間隔をあけて複数設けられている請求項１から請求項３のいずれかに記載の生体用スクリュ。
【発明の詳細な説明】
【技術分野】
【０００１】
この発明は、生体組織に締結される生体用スクリュに関するものである。
【背景技術】
【０００２】
従来、骨折治療のために髄内釘等の器具を生体内に挿入配置することが行われている（例えば、特許文献１参照、）。かかる髄内釘は、直径方向に貫通する貫通孔を備え、骨髄腔内に挿入された状態で、該貫通孔に骨組織に貫通形成された貫通孔を介して導かれた固定用スクリュを挿入して締結することにより固定されるようになっている。
【特許文献１】特開２００５−２８１３６号公報
【発明の開示】
【発明が解決しようとする課題】
【０００３】
しかしながら、このような固定用スクリュは経時的に緩むことがあり、緩んだ場合には、髄内釘による骨折部の支持が弱くなり、骨折部の治癒が遅れる等の不都合の発生が考えられる。髄内釘のような器具を永久的に体内に残すような場合に固定用スクリュの固定力は、長期間にわたって可能な限り高く維持されることが望まれる。
【０００４】
本発明は上述した事情に鑑みてなされたものであって、長期間にわたって固定力を高く維持することができる生体用スクリュを提供することを目的としている。
【課題を解決するための手段】
【０００５】
上記目的を達成するために、本発明は以下の手段を提供する。
本発明は、生体組織に締結される生体用スクリュであって、生体組織に形成された下穴に締結される雄ネジ部を備え、該雄ネジ部の周方向の少なくとも一部に、雄ネジ部を切り欠いて半径方向内方に窪む１以上の凹部が設けられている生体用スクリュを提供する。
【０００６】
本発明によれば、生体組織に形成された下穴に雄ネジ部を締結することにより、雄ネジ部に設けられた凹部に、生体組織の一部が侵入する。凹部は、雄ネジ部を切り欠いて半径方向内方に窪んでいるので、凹部内に侵入した生体組織が雄ネジ部の軸線回りの回転を阻害する回り止めとして機能するようになる。これにより、生体組織への締結後、経時的に固定力を増加させ、高い固定力を維持することが可能となる。
【０００７】
上記発明においては、前記凹部が、軸方向に沿って設けられていることとしてもよい。
このようにすることで、雄ネジ部が軸線回りに回転するのを阻止する固定力を増加させることができる。
【０００８】
また、上記発明においては、前記凹部が、雄ネジ部の軸方向の途中位置に設けられていることとしてもよい。
このようにすることで、生体用スクリュに作用する軸方向に引き抜く外力に対しても抜け止めとして機能する。これにより、さらに固定力を向上することができる。
【０００９】
また、上記発明においては、前記凹部が、周方向に間隔をあけて複数設けられていることとしてもよい。
このようにすることで、軸線回りの回り止めあるいは軸方向の抜け止めの機能をさらに向上させることができる。
【発明の効果】
【００１０】
本発明によれば、長期間にわたって固定力を高く維持することができるという効果を奏する。
【発明を実施するための最良の形態】
【００１１】
本発明の第１の実施形態に係る生体用スクリュ１について、図１および図２を参照して以下に説明する。
本実施形態に係る生体用スクリュ１は、図１に示されるように、生体組織、例えば、骨組織に設けられた下穴に締結される雄ネジ部２を備え、該雄ネジ部２には、周方向に間隔をあけて、例えば、９０°おきに、複数、例えば、４カ所に凹部３が設けられている。図１において（ａ）は、凹部を有する雄ネジ部の横断面図、（ｂ）は雄ネジ部の正面図である。
各凹部３は、雄ネジ部２の先端から長手方向に沿って直線状に延びている。
【００１２】
このように構成された本実施形態に係る生体用スクリュ１の作用について、以下に説明する。本実施形態に係る生体用スクリュ１を、図２（ａ）に示されるように生体組織４に設けられた下穴５に締結すると、時間の経過とともに、図２（ｂ）に示されるように、生体用スクリュ１の周囲の生体組織４が、生体用スクリュ１の雄ネジ部２に設けられた凹部３内に向かって成長する。そして、生体用スクリュ１の周囲の生体組織４は、最終的には、図２（ｃ）に示されるように、凹部３全体に充満するように侵入する。
【００１３】
本実施形態に係る生体用スクリュ１によれば、生体組織への締結後に成長した周囲の生体組織４が凹部３内に侵入することにより、侵入した生体組織４が、生体用スクリュ１の周方向の回転を阻害する障害物となる。その結果、障害物となった生体組織４が生体用スクリュ１の周方向の回り止めとして機能するようになり、生体組織４の成長が進行するに従って、回り止めによる固定力の向上が促進されることになる。
【００１４】
本実施形態に係る生体用スクリュ１によれば、凹部３が軸方向に延びており、また、周方向に間隔をあけて設けられているので、軸方向の長い範囲にわたって、周方向の複数箇所に回り止めを形成することができる。したがって、固定力を大幅に向上することができるという利点がある。特に、生体組織４として骨組織に締結する場合には、成長により形成される回り止めが高い強度を有するため、その固定力向上の効果は極めて高いものとなる。
【００１５】
なお、本実施形態においては、周方向に間隔をあけて４カ所に凹部３を設けたが、これに代えて、１カ所以上の任意の数の凹部３を設けることにしてもよい。また、凹部３の周方向間隔は等間隔でなくてもよい。また、凹部３を雄ネジ部２の軸方向の一部に設ける場合を例示したが、これに代えて、全長に設けることにしてもよい。
【００１６】
次に、本発明の第２の実施形態に係る生体用スクリュ１０について、図３および図４を参照して以下に説明する。
なお、本実施形態の説明において、上述した第１の実施形態に係る生体用スクリュ１と構成を共通とする箇所には同一符号を付して説明を省略する。
【００１７】
本実施形態に係る生体用スクリュ１０は、図３に示されるように、生体組織４、例えば、骨組織に設けられた下穴５に締結される雄ネジ部２を備え、該雄ネジ部２には、周方向に間隔をあけて、例えば、９０°おきに、複数、例えば、４カ所に凹部１１が設けられている。図１において（ａ）は雄ネジ部２の正面図、（ｂ）は凹部３を有する雄ネジ部２の縦断面図である。
各凹部１１は、雄ネジ部２の長手方向の途中位置に、長手方向に沿って直線状に延びている。
【００１８】
このように構成された本実施形態に係る生体用スクリュ１０の作用について、以下に説明する。本実施形態に係る生体用スクリュ１０を、生体組織４に設けられた下穴５に締結すると、時間の経過とともに、生体用スクリュ１０の周囲の生体組織４が、生体用スクリュ１０の雄ネジ部２に設けられた凹部１１内に向かって成長する。そして、生体用スクリュ１０の周囲の生体組織４は、最終的には、図４に示されるように、凹部１１全体に充満するように侵入するようになる。
【００１９】
本実施形態に係る生体用スクリュ１０によれば、生体組織４への締結後に成長した周囲の生体組織４が凹部１１内に侵入することにより、侵入した生体組織４が、生体用スクリュ１０の周方向の回転を阻害する障害物となる。その結果、障害物となった生体組織４が生体用スクリュ１０の周方向の回り止めとして機能するようになり、生体組織４の成長が進行するに従って、回り止めによる固定力の向上が促進されることになる。
【００２０】
また、本実施形態に係る生体用スクリュ１０によれば、凹部１１が雄ネジ部２の長手方向の途中位置に配置されているので、生体組織４への締結後に成長した周囲の生体組織４が凹部１１内に侵入することにより、侵入した生体組織４が、生体用スクリュ１０の長手方向への移動を阻害する障害物ともなる。その結果、障害物となった生体組織４が生体用スクリュ１０の長手方向のストッパとしても機能するようになり、生体組織４の成長が進行するに従って、生体用スクリュ１０に作用する長手方向の外力に対抗して生体用スクリュ１０を生体組織４に固定しておく固定力の向上が促進されることになる。
【００２１】
本実施形態に係る生体用スクリュ１０においても、凹部１１が軸方向に延びており、また、周方向に間隔をあけて設けられているので、軸方向の長い範囲にわたって、周方向の複数箇所に、周方向の回り止めおよび軸方向のストッパを形成することができる。したがって、固定力を大幅に向上することができるという利点がある。特に、生体組織４として骨組織に締結する場合には、成長により形成される回り止めおよびストッパが高い強度を有するため、その固定力向上の効果は極めて高いものとなる。
【００２２】
なお、本実施形態においても、周方向に間隔をあけて４カ所に凹部１１を設けたが、これに代えて、１カ所以上の任意の数の凹部１１を設けることにしてもよい。また、凹部１１の周方向間隔は等間隔でなくてもよい。
【００２３】
また、本実施形態に係る生体用スクリュ１０においては、図５に示されるように、複数の凹部１１を、生体用スクリュ１０の中心近傍に設けた空洞部１２において連結することとしてもよい。このようにすることで、各凹部１１から侵入して成長した生体組織４が凹部１１内の空洞部１２において一体的に連結するので、さらに高い固定力を得ることができる。特に、生体用スクリュ１０の中心軸付近に設けた空洞部１２に生体組織４の成長を促進する薬剤や、成長の足場となるリン酸カルシウム多孔体等を充填しておくことにより、生体組織４の迅速な成長を促し、固定力の早期の増強を図ることができる。
また、これに代えて、図６に示されるように、雄ネジ部２の長手方向の途中位置に、直径方向に貫通する貫通孔１３を設けることとしてもよい。
【図面の簡単な説明】
【００２４】
【図１】本発明の第１の実施形態に係る生体用スクリュの雄ネジ部を示す図であり、（ａ）は凹部の位置における雄ネジ部の横断面図、（ｂ）は正面図である。
【図２】図１の生体用スクリュの凹部内への生体組織の侵入する様子を説明する横断面図である。
【図３】本発明の第１の実施形態に係る生体用スクリュを示す雄ネジ部の正面図である。
【図４】図３の生体用スクリュの凹部の位置における雄ネジ部の縦断面図である。
【図５】図３の生体用スクリュの変形例を示す凹部の位置における雄ネジ部の横断面図である。
【図６】図３の生体用スクリュの他の変形例を示す凹部の位置における雄ネジ部の横断面図である。
【符号の説明】
【００２５】
１，１０  生体用スクリュ
２  雄ネジ部
３，１１  凹部
４  生体組織
【図１】
2007282704.tif 000003
【図２】
2007282704.tif 000004
【図３】
2007282704.tif 000005
【図４】
2007282704.tif 000006
【図５】
2007282704.tif 000007
【図６】
2007282704.tif 000008